(57)【要約】【課題】複数の処理手段から出力された複数の進捗情報を、１つの通信端子から出力できるようにする。【解決手段】分割部４１、４２は、ＣＰＵ１、２から出力された８ビットの処理進捗ログ情報を、それぞれ４ビットの情報に分割する。合成部４３は、分割部４１、４２により分割されたそれぞれ４ビットの情報を８ビットの１つのデータとして合成する。合成部４３は、ＣＰＵ１、２のいずれかにおいて同タイミングの処理進捗ログ情報が存在しない場合、そのＣＰＵの処理進捗ログ情報に対応する情報として、処理進捗ログ情報が存在しない旨を示す情報、例えば“０（ＮＵＬＬ）”を合成する。ＵＡＲＴ通信部４４は、ＵＡＲＴインタフェースを介して、合成部４３により合成されたデータを通信ポートから合成ログ情報として出力する。【選択図】図４
2011232981.tif 000002
【特許請求の範囲】
【請求項１】
それぞれ設定された処理を実行するとともに、実行中の処理の進捗状況に関する情報をそれぞれ進捗情報として出力する複数の処理手段と、
前記複数の処理手段から出力された進捗情報を、それぞれ所定の単位毎の情報に分割する分割手段と、
前記分割手段により分割された複数の情報を１つのデータに合成する合成手段と、
前記合成手段により合成されたデータを通信端子から出力する通信出力手段と、
を備えた電子装置。
【請求項２】
前記合成手段は、前記複数の処理手段のいずれかにおいて同タイミングの進捗情報が存在しない場合、当該処理手段の進捗情報に対応する情報として、進捗情報が存在しない旨を示す情報を合成する請求項１記載の電子装置。
【請求項３】
それぞれ設定された処理を実行するとともに、実行中の処理の進捗状況に関する情報をそれぞれ進捗情報として出力する複数の処理手段と、
前記複数の処理手段から出力された進捗情報を一時的に格納する格納手段と、
前記格納手段に格納された進捗情報に対して、前記複数の処理手段のうちどの処理手段における処理の進捗に関するものであるかを示す識別情報を付加する付加手段と、
前記付加手段により識別情報が付加された進捗情報を１つの通信端子から順次出力する通信出力手段と、
を備えた電子装置。
【請求項４】
それぞれ設定された処理を実行するとともに、実行中の処理の進捗状況に関する情報をそれぞれ進捗情報として出力する複数の処理手段と、
前記複数の処理手段から出力された進捗情報を、それぞれ所定の単位毎の情報に分割する分割手段と、
前記分割手段により分割された複数の情報を１つのデータに合成する合成手段と、
前記合成手段により合成されたデータを通信端子から出力する通信出力手段と、
前記複数の処理手段により実行される処理に基づき画像を出力する画像出力手段と、
を備えた画像形成装置。
【請求項５】
それぞれ設定された処理を実行するとともに実行中の処理の進捗状況に関する情報をそれぞれ進捗情報として出力する複数の処理手段から出力された進捗情報を、それぞれ所定の単位毎の情報に分割するステップと、
分割された複数の情報を１つのデータに合成するステップと、
合成されたデータを通信端子から出力するステップとをコンピュータに実行させるためのプログラム。
【発明の詳細な説明】
【技術分野】
【０００１】
本発明は、電子装置、画像形成装置およびプログラムに関する。
【背景技術】
【０００２】
特許文献１には、スレーブプロセッサとマスタプロセッサとの間の通信によりログデータを受け渡して、マスタプロセッサにより一括してログデータを保存するようにした障害ロギング方式が開示されている。
【０００３】
特許文献２には、アプリケーションプログラムのプロセスが通信データを受信すると、内部関数であるロギングハンドラを起動して、このロギングハンドラにより通信履歴情報を生成して共有メモリに書き込むことによりログデータを保存するようにしたプロセス間通信履歴採取方法が開示されている。
【先行技術文献】
【特許文献】
【０００４】
【特許文献１】特開平５−５４０１０号公報
【特許文献２】特開２００２−１４０２１１号公報
【発明の概要】
【発明が解決しようとする課題】
【０００５】
本発明の目的は、複数の処理手段から出力された複数の進捗情報を、１つの通信端子（通信ポート）から出力することが可能な電子装置、画像形成装置およびプログラムを提供することである。
【課題を解決するための手段】
【０００６】
［電子装置］
請求項１に係る本発明は、それぞれ設定された処理を実行するとともに、実行中の処理の進捗状況に関する情報をそれぞれ進捗情報として出力する複数の処理手段と、
前記複数の処理手段から出力された進捗情報を、それぞれ所定の単位毎の情報に分割する分割手段と、
前記分割手段により分割された複数の情報を１つのデータに合成する合成手段と、
前記合成手段により合成されたデータを通信端子から出力する通信出力手段とを備えた電子装置である。
【０００７】
請求項２に係る本発明は、前記合成手段が、前記複数の処理手段のいずれかにおいて同タイミングの進捗情報が存在しない場合、当該処理手段の進捗情報に対応する情報として、進捗情報が存在しない旨を示す情報を合成する請求項１記載の電子装置である。
【０００８】
請求項３に係る本発明は、それぞれ設定された処理を実行するとともに、実行中の処理の進捗状況に関する情報をそれぞれ進捗情報として出力する複数の処理手段と、
前記複数の処理手段から出力された進捗情報を一時的に格納する格納手段と、
前記格納手段に格納された進捗情報に対して、前記複数の処理手段のうちどの処理手段における処理の進捗に関するものであるかを示す識別情報を付加する付加手段と、
前記付加手段により識別情報が付加された進捗情報を１つの通信端子から順次出力する通信出力手段とを備えた電子装置である。
【０００９】
［画像形成装置］
請求項４に係る本発明は、それぞれ設定された処理を実行するとともに、実行中の処理の進捗状況に関する情報をそれぞれ進捗情報として出力する複数の処理手段と、
前記複数の処理手段から出力された進捗情報を、それぞれ所定の単位毎の情報に分割する分割手段と、
前記分割手段により分割された複数の情報を１つのデータに合成する合成手段と、
前記合成手段により合成されたデータを通信端子から出力する通信出力手段と、
前記複数の処理手段により実行される処理に基づき画像を出力する画像出力手段とを備えた画像形成装置である。
【００１０】
［プログラム］
請求項５に係る本発明は、それぞれ設定された処理を実行するとともに実行中の処理の進捗状況に関する情報をそれぞれ進捗情報として出力する複数の処理手段から出力された進捗情報を、それぞれ所定の単位毎の情報に分割するステップと、
分割された複数の情報を１つのデータに合成するステップと、
合成されたデータを通信端子から出力するステップとをコンピュータに実行させるためのプログラムである。
【発明の効果】
【００１１】
請求項１に係る本発明によれば、複数の処理手段から出力された複数の進捗情報を、１つの通信端子から出力することが可能な電子装置を提供できるという効果が得られる。
【００１２】
請求項２に係る本発明によれば、複数の処理手段から出力された複数の進捗情報を１つの通信端子から出力する際に、各進捗情報が出力された相対的なタイミングを把握することが可能な電子装置を提供できるという効果が得られる。
【００１３】
請求項３に係る本発明によれば、複数の処理手段から出力された複数の進捗情報を、１つの通信端子から出力することが可能な電子装置を提供できるという効果が得られる。
【００１４】
請求項４に係る本発明によれば、複数の処理手段から出力された複数の進捗情報を、１つの通信端子から出力することが可能な画像形成装置を提供できるという効果が得られる。
【００１５】
請求項５に係る本発明によれば、複数の処理手段から出力された複数の進捗情報を、１つの通信端子から出力することが可能なプログラムを提供できるという効果が得られる。
【図面の簡単な説明】
【００１６】
【図１】本発明の第１の実施形態の画像形成システムのシステム構成を示す図である。
【図２】本発明の第１の実施形態における画像形成装置１０のハードウェア構成を示すブロック図である。
【図３】本発明の第１の実施形態における画像形成装置１０の機能構成を示すブロック図である。
【図４】図３中におけるログ情報出力部３５の構成を説明するためのブロック図である。
【図５】ＣＰＵ１、２から出力される処理進捗ログ情報の例を示す図である。
【図６】図５に示された処理進捗ログ情報がログ情報出力部３５において処理される際の様子を示す図である。
【図７】合成部４３において合成されて通信ポートから出力されるデータ列を示す図である。
【図８】通信ポートから出力された合成ログ情報を処理することにより得られるＣＰＵ１、２の処理進捗ログ情報を示す図である。
【図９】図８に示された処理進捗ログ情報をキャラクタで表示したものを示す図である。
【図１０】本発明の第２の実施形態におけるログ情報出力部３５ａの構成を説明するためのブロック図である。
【図１１】タグ情報付加部４７により処理進捗ログ情報に付加されるタグ情報を説明するための図である。
【図１２】ＣＰＵ１、２から出力される処理進捗ログ情報の例を示す図である。
【図１３】図１２に示した処理進捗ログ情報に対してタグ情報が付加された場合の様子を示す図である。
【発明を実施するための形態】
【００１７】
次に、本発明の実施の形態について図面を参照して詳細に説明する。
【００１８】
[第１の実施形態]
図１は本発明の第１の実施形態の画像形成システムの構成を示すブロック図である。
【００１９】
本発明の第１の実施形態の画像形成システムは、図１に示されるように、ネットワーク３０により相互に接続された画像形成装置１０、端末装置２０およびサーバ２１により構成される。端末装置２０は、印刷データを生成して、ネットワーク３０経由にて生成した印刷データを画像形成装置１０に対してサーバ２１を経由して、または直接送信する。画像形成装置１０は、端末装置２０やサーバ２１から送信された印刷データを受け付けて、この印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００２０】
次に、本実施形態の画像形成システムにおける画像形成装置１０のハードウェア構成を図２に示す。
【００２１】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００２２】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２３】
図３は、上記の制御プログラムが実行されることにより実現される画像形成装置１０の機能構成を示すブロック図である。
【００２４】
本実施形態の画像形成装置１０は、図３に示されるように、印刷ジョブ受信部３１と、画像処理部３２と、印刷ジョブ格納部３３と、画像出力部３４と、ログ情報出力部３５とを備えている。
【００２５】
印刷ジョブ受信部３１は、端末装置２０やサーバ２１から送信されてきた印刷ジョブを受信する。
【００２６】
画像処理部３２は、印刷ジョブ受信部３１により受信された印刷ジョブに対して、階調補正、色変換等の各種画像処理を実行して印刷データを生成する。
【００２７】
印刷ジョブ格納部３３は、印刷ジョブ受信部３１により受信された印刷ジョブや、画像処理部３２において画像処理途中の印刷ジョブ等を格納する。画像出力部３４は、画像処理部３２により画像処理が行われた後の印刷データに基づいて、印刷用紙上に画像を出力する。
【００２８】
なお、画像処理部３２や画像出力部３４はそれぞれ設定された処理を実行する処理手段として機能し、この画像処理部３２や画像出力部３４により実行される処理に基づき画像が出力される。そして、画像処理部３２や画像出力部３４は、実行中の処理の進捗状況に関する情報をそれぞれ処理進捗ログ情報（進捗情報）として出力する。この処理進捗ログ情報を参照することにより、画像処理部３２や画像出力部３４が、それぞれどのような処理を既に実行済みで、どのような処理については未実行であるかを把握することが可能となる。
【００２９】
ログ情報出力部３５は、画像処理部３２や画像出力部３４から出力された処理進捗ログ情報を、１つのデータに合成して、通信ポートを介して外部に出力する。
【００３０】
そして、画像形成装置１０は、この通信ポートに検査用端末装置を接続することができる構成となっている。そのため、検査用端末装置を通信ポートに接続して、通信ポートを介して出力されるデータに基づいて画像処理部３２や画像出力部３４の処理の進捗度合いをリアルタイムに監視することができる。
【００３１】
次に、図３に示したログ情報出力部３５の詳細な構成を図４を参照して説明する。
ログ情報出力部３５は、図４に示されるように、分割部４１、４２と、合成部４３と、ＵＡＲＴ(Universal Asynchronous Receiver Transmitter)通信部４４とを備えている。また、画像処理部３２と画像出力部３４には、それぞれＣＰＵ１、２により制御されていて、このＰＵ１、２から処理進捗ログ情報が出力されているものとして説明する。
【００３２】
また、ログ情報出力部３５では、ＣＰＵ１、２から出力される処理進捗ログ情報を８ビットのＡＳＣＩＩコードに変換して取り扱っている。
【００３３】
分割部４１、４２は、ＣＰＵ１、２から出力された処理進捗ログ情報を、それぞれ所定の単位毎の情報に分割する。具体的には、分割部４１、４２は、ＣＰＵ１、２から出力された８ビットの処理進捗ログ情報を、それぞれ４ビットの情報に分割する。
【００３４】
合成部４３は、分割部４１、４２により分割されたそれぞれ４ビットの情報を８ビットの１つのデータとして合成する。
【００３５】
なお、合成部４３は、ＣＰＵ１、２のいずれかにおいて同タイミングの処理進捗ログ情報が存在しない場合、そのＣＰＵの処理進捗ログ情報に対応する情報として、処理進捗ログ情報が存在しない旨を示す情報、例えば“０（ＮＵＬＬ）”を合成する。
【００３６】
ＵＡＲＴ通信部４４は、ＵＡＲＴインタフェースを介して、合成部４３により合成されたデータを通信ポートから合成ログ情報として出力する。
【００３７】
そして、この通信ポートにパーソナルコンピュータ等の検査用端末装置を接続し、出力される合成ログ情報を受信して、８ビットのデータを４ビットずつに順次分割し、分割した４ビットのデータを、ＣＰＵ１、ＣＰＵ２毎に再度合成して８ビットのデータとすることにより、ＣＰＵ１、２の２つの処理進捗ログ情報を取得することができる。
【００３８】
次に、本実施形態の画像形成装置１０におけるログ情報を出力する際の動作を図面を参照して詳細に説明する。
以下の説明においては、ＣＰＵ１、２から、図５に示すような処理進捗ログ情報が出力されたものとして説明を行なう。ＣＰＵ１から出力される処理進捗ログ情報は、図５（Ａ）に示されるように、送信キャラクタとして“ＡＢＣＤＥＦＧ”、“ＨＩＪＫＬＭＮ”という２つの文字列から構成されている。なお、各文字列の最後には、文字列間の区切りを明確にするために、＜ＣＲ＞（キャリッジリターン）、＜ＬＦ＞（ラインフィード：改行）というキャラクタが付加されている。同様に、ＣＰＵ２から出力される処理進捗ログ情報は、図５（Ｂ）に示されるように、送信キャラクタとして“ＯＰＱＲＳＴＵ”、“ＶＷＸＹＺ”という２つの文字列から構成されている。
【００３９】
そして、この図５（Ａ）、図５（Ｂ）に示された送信キャラクタは、それぞれ、“４１  ４２  ４３  ・・・・  ０Ａ”、“４Ｆ  ５０  ５１  ・・・・  ０Ａ”というＡＳＣＩＩコードとして送信される。
【００４０】
この図５に示された処理進捗ログ情報がログ情報出力部３５において処理される際の様子を図６に示す。
分割部４１、４２では、この図５に示されたような処理進捗ログ情報を、それぞれ４ビットずつに分割して出力する。例えば、分割部４１に入力された“４１”というキャラクタは、“４”、“１”という４ビットのデータに分割されて出力される。
【００４１】
そして、合成部４３は、分割部４１および分割部４２により分割された４ビットのデータを合成して、８ビットのデータを生成する。例えば、分割部４１により出力された“１”というデータと、分割部４２により出力された“Ｆ”というデータを合成して、“１Ｆ”というデータを生成する。
【００４２】
なお、合成部４３では、分割部４１、４２のいずれかからデータが出力されない場合、合成すべき処理進捗ログ情報が存在しないことを示す“０（ＮＵＬＬ）”を、そのデータの替わりとして合成処理を行う。例えば、ＣＰＵ２の処理進捗ログ情報において“５１”、“５２”というデータが出力される間に、ＣＰＵ１の処理進捗ログ情報では“４４”というデータが出力されている。つまり、このＣＰＵ１の“４４”という処理進捗ログ情報と同タイミングで出力されたＣＰＵ２の処理進捗ログ情報が存在しない。そのため、合成部４３では、ＣＰＵ１の“４４”というデータを分割した“４”、“４”というデータについては、“０”を合成して、それぞれ“４０”、“４０”というデータを合成ログ情報とする。
【００４３】
このようにして合成部４３により合成されて通信ポートから出力されるデータ列を図７に示す。そして、この図７に示されるデータ列のバイト単位のデータの前半分の４ビットのみを取得することによりＣＰＵ１の処理進捗ログ情報が得られ、後半分の４ビットのみを取得することによりＣＰＵ２の処理進捗ログ情報が得られる。
【００４４】
このようにして得られるＣＰＵ１、２の処理進捗ログ情報を図８に示す。図８を参照すると、各処理進捗ログ情報において、対応するデータが存在しない場所には、“ＮＬ（ＮＵＬＬ）”が挿入されていることが分かる。
【００４５】
そして、このようにして得られた処理進捗ログ情報をキャラクタで表示したものを図９に示す。この図９を参照すると、ＣＰＵ１において“Ａ”というデータが出力されたタイミングと、ＣＰＵ２において“Ｏ”というデータが出力されたタイミングが同じであることがわかる。また、ＣＰＵ２において“Ｒ”というデータが出力されたタイミングでは、ＣＰＵ１においてはデータが出力されなかったことが分かる。
【００４６】
なお、本実施形態では、２つのＣＰＵ１、２の処理進捗ログ情報を１つの通信ポートから出力しているため、２つの８ビットのデータを２分割して４ビットずつのデータとした後に合成処理を行っているが、本発明はこのような形態に限定されるものではない。３つ以上のＣＰＵの処理進捗ログ情報を１系統の通信ポートから出力するような場合にも本発明は適用可能である。例えば、処理進捗ログ情報を出力するＣＰＵが４つ存在するような場合には、４つの８ビットを４分割して２ビットずつのデータとした後に合成処理して８ビットのデータとすれば良い。また、処理進捗ログ情報を出力するＣＰＵが８つ存在するような場合には、８つの８ビットを８分割して１ビットずつのデータとした後に合成処理して８ビットのデータとすれば良い。
【００４７】
また、ＣＰＵ１またはＣＰＵ２からの処理進捗ログ情報のいずれかを選択するためのセレクタを設けて、このセレクタの出力を合成部４３の出力の替わりに直接通信ポートから出力するような構成をさらに設けるようにしても良い。このような構成とすることにより、ＣＰＵ１またはＣＰＵ２のいずれかの処理進捗ログ情報のみ取得すれば良いような場合には、合成ログ情報の替わりに必要な処理進捗ログ情報のみを取得することが可能となる。
【００４８】
[第２の実施形態]
次に、本発明の第２の実施形態の画像形成装置について説明する。
【００４９】
本実施形態の画像形成装置は、上記で説明した第１の実施形態の画像形成装置１０に対して、ログ情報出力部３５を、図１０に示すログ情報出力部３５ａに置き換えた構成となっている。なお、図１０において、図４中の構成要素と同一の構成要素には同一の符号を付し、説明を省略するものとする。
【００５０】
本実施形態におけるログ情報出力部３５ａは、図１０に示されるように、バッファメモリ４５、４６と、タグ情報付加部４７と、ＵＡＲＴ通信部４４とを備えている。
【００５１】
バッファメモリ４５、４６は、それぞれ、ＣＰＵ１、２から出力された処理進捗ログ情報を一時的に格納するための格納手段である。
【００５２】
タグ情報付加部４７は、バッファメモリ４５、４６に格納された処理進捗ログ情報に対して、２つのＣＰＵ１、２のうちどちらのＣＰＵにおける処理の進捗に関するものであるかを示す識別情報を含むタグ情報を付加する。
【００５３】
タグ情報付加部４７は、処理進捗ログ情報が改行コード（＜ＣＲ＞、＜ＬＦ＞）となる毎に、その処理進捗ログ情報にタグ情報を付加する。ただし、バッファメモリ４５、４６の空き容量が無くなってくると、改行コードを待たずにバッファメモリ４５、５６内の処理進捗ログ情報にタグ情報を付加して出力する。
【００５４】
本実施形態におけるＵＡＲＴ通信部４４は、タグ情報付加部４７によりタグ情報が付加された処理進捗ログ情報を１つの通信ポートから順次出力する。
【００５５】
次に、このタグ情報付加部４７により処理進捗ログ情報に付加されるタグ情報を図１１を参照して説明する。
この図１１に示す例では、タグ情報は、８ビットにより構成されている。タグ情報の上位２ビットは、識別情報、３番目、４番目のビットはステータスビットであり、５番目から８番目のビットはデータ長を表している。
【００５６】
識別情報は、その処理進捗ログ情報がＣＰＵ１、２のいずれの処理の進捗を示すものなのかを特定するための情報である。例えば、この識別情報が“００”の場合には、その処理進捗ログ情報はＣＰＵ１から出力されたものであり、“０１”の場合には、その処理進捗ログ情報がＣＰＵ２から出力されたものであることを示している。なお、この図１１に示した例では、識別情報は２ビットが割り当てられているため、ＣＰＵ１〜４の４つのＣＰＵを設定することが可能である。
【００５７】
また、ステータスビットは、その処理進捗ログ情報が、先頭であるのか、途中であるのか、最後であるのかを示している。つまり、１つの処理進捗ログ情報が複数に分割された場合に、分割された処理進捗ログ情報が全体のどの部分であるのかを示している。なお、１部ロクの処理進捗ログ情報が分割されていない場合には、このステータスビットは、最後であることを示す“１０”が設定される。また、データ長は、その処理進捗ログ情報の長さを示している。
【００５８】
次に、本実施形態の通信出力部３５ａによりＣＰＵ１、２の処理進捗ログ情報を通信ポートから出力する際の動作を図１２、図１３を参照して説明する。
【００５９】
ここでは、図１２に示すような処理進捗ログ情報がＣＰＵ１、２から出力されるものとして説明する。そして、この図１２に示した処理進捗ログ情報に対してタグ情報が付加された場合の様子を図１３に示す。
【００６０】
本実施形態の画像形成装置によれば、通信ポートから図１３に示すようなデータが順次出力されてくるため、検査用端末装置では、出力されたデータのタグ情報に含まれる識別情報に基づいて、処理進捗ログ情報がＣＰＵ１のものなのかＣＰＵ２のものなのかを判定すればよい。
【００６１】
[変形例]
上記実施形態では、画像形成装置１０における通信機能に対して本発明を適用した場合を用いて説明したが、本発明はこれに限定されるものではなく、画像形成機能を備えていない電子装置に対しても同様に本発明を適用することができるものである。
【００６２】
さらに、上記実施形態では、設定された処理を実行して進捗情報を出力するような処理手段がＣＰＵの場合を用いて説明しているが、処理の進捗を示す情報を進捗情報として出力するような処理手段が複数設けられていて、複数の進捗情報を１つの通信ポートから出力するような電子装置であれば本発明は同様に適用可能である。
【符号の説明】
【００６３】
１、２    ＣＰＵ
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    印刷ジョブ受信部
３２    画像処理部
３３    印刷ジョブ格納部
３４    画像出力部
３５、３５ａ    ログ情報出力部
４１、４２    分割部
４３    合成部
４４    ＵＡＲＴ通信部
４５、４６    バッファメモリ
４７    タグ情報付加部
【図１】
2011232981.tif 000003
【図２】
2011232981.tif 000004
【図３】
2011232981.tif 000005
【図４】
2011232981.tif 000006
【図５】
2011232981.tif 000007
【図６】
2011232981.tif 000008
【図７】
2011232981.tif 000009
【図８】
2011232981.tif 000010
【図９】
2011232981.tif 000011
【図１０】
2011232981.tif 000012
【図１１】
2011232981.tif 000013
【図１２】
2011232981.tif 000014
【図１３】
2011232981.tif 000015